(57)【要約】【課題】損傷防止を図ることができる農作業機を提供する。【解決手段】農作業機１は、トラクタに連結する機体３を備え、この機体３にはオフセットフレーム４を上下方向に回動可能に設ける。オフセットフレーム４には、格納状態及びオフセット状態になる草刈作業体５を上下方向に回動可能に設ける。機体３は、トラクタに連結する前側フレーム11と、この前側フレーム11に対して上下方向に回動可能な後側フレーム12とを有する。この後側フレーム12は、草刈作業体５に対する過負荷を逃がす伸縮アーム体101を有する。【選択図】図１
2019013194.tif 000002
【特許請求の範囲】
【請求項１】
走行車に連結される機体と、
この機体に設けられたオフセットフレームと、
このオフセットフレームに設けられ、格納状態及びオフセット状態になる作業体とを備え、
前記機体は、
前記走行車に連結される前側フレームと、
この前側フレームに対して上下方向に回動可能な後側フレームとを有し、
前記後側フレームは、前記作業体に対する過負荷を逃がす過負荷逃がし手段を有する
ことを特徴とする農作業機。
【請求項２】
過負荷逃がし手段は、通常時には一定長さに保持されかつ作業体に対する過負荷時にはその過負荷を逃がす伸縮アーム体である
ことを特徴とする請求項１記載の農作業機。
【請求項３】
後側フレームは、
前側フレームに対して前後方向に回動可能な非伸縮アーム体と、
この非伸縮アーム体と伸縮アーム体とを連結するとともに、オフセットフレームを支持する連結支持体とを有し、
前記伸縮アーム体は、前記連結支持体に上下方向の軸を中心として回動可能に取り付けられている
ことを特徴とする請求項２記載の農作業機。
【請求項４】
伸縮アーム体は、通常時において前記伸縮アーム体を一定長さに保持するための弾性部材を有する
ことを特徴とする請求項２又は３記載の農作業機。
【請求項５】
伸縮アーム体は、この伸縮アーム体の伸縮量を示す目印を有する
ことを特徴とする請求項２ないし４のいずれか一記載の農作業機。
【請求項６】
過負荷逃がし手段の状態を検知する検知手段と、
前記過負荷逃がし手段の状態を作業者に報知する報知手段と、
前記検知手段の検知に基づいて前記報知手段を作動させる制御手段と
を備えることを特徴とする請求項１ないし５のいずれか一記載の農作業機。
【請求項７】
オフセットフレームを機体に対して回動させる第１回動駆動手段と、
作業体を前記オフセットフレームに対して回動させる第２回動駆動手段と、
過負荷逃がし手段の状態を検知する検知手段と、
この検知手段の検知に基づいて前記第１回動駆動手段及び前記第２回動駆動手段の少なくともいずれか一方を作動させる制御手段と
を備えることを特徴とする請求項１ないし５のいずれか一記載の農作業機。
【請求項８】
作業体は、水平姿勢及び傾斜姿勢のいずれの姿勢でも作業可能な草刈作業体である
ことを特徴とする請求項１ないし７のいずれか一記載の農作業機。
【発明の詳細な説明】
【技術分野】
【０００１】
本発明は、走行車に連結して使用する農作業機に関するものである。
【背景技術】
【０００２】
従来、例えば下記の特許文献１に記載された農作業機が知られている。
【０００３】
この従来の農作業機は、トラクタ等の走行車に装着される装着部と、この装着部に水平方向に回動可能なオフセット機構部（平行リンク）を介して連結された刈取り作業部と、この刈取り作業部の上方に配設された電動シリンダとを備え、この電動シリンダの伸縮動作によって刈取り作業部が上下方向に回動する。
【先行技術文献】
【特許文献】
【０００４】
【特許文献１】特開２０１１−１０３８５０号公報
【発明の概要】
【発明が解決しようとする課題】
【０００５】
しかしながら、上記従来の農作業機では、例えば草の中に障害物が存在した場合に、刈取り作業部が障害物に衝突して、刈取り作業部に過負荷がかかり、その結果、刈取り作業部や装着部等が損傷するおそれがある。
【０００６】
本発明は、このような点に鑑みなされたもので、損傷防止を図ることができる農作業機を提供することを目的とする。
【課題を解決するための手段】
【０００７】
本発明に係る農作業機は、走行車に連結される機体と、この機体に設けられたオフセットフレームと、このオフセットフレームに設けられ、格納状態及びオフセット状態になる作業体とを備え、前記機体は、前記走行車に連結される前側フレームと、この前側フレームに対して上下方向に回動可能な後側フレームとを有し、前記後側フレームは、前記作業体に対する過負荷を逃がす過負荷逃がし手段を有するものである。
【発明の効果】
【０００８】
本発明によれば、損傷防止を図ることができる。
【図面の簡単な説明】
【０００９】
【図１】本発明の一実施の形態に係る農作業機の斜視図である。
【図２】同上農作業機の側面図である。
【図３】同上農作業機の背面図（オフセット状態、水平姿勢）である。
【図４】同上農作業機の背面図（オフセット状態、傾斜姿勢）である。
【図５】同上農作業機の背面図（格納状態）である。
【図６】同上農作業機の伝動手段を示す図である。
【図７】同上伝動手段の一部（チェーン等）を示す図である。
【図８】（ａ）は作業体の格納状態時の背面図で、（ｂ）は作業体のオフセット状態時の背面図である。
【図９】同上農作業機の平面図である。
【図１０】同上農作業機の部分平面図である。
【図１１】作業体への過負荷によって伸縮アーム体が伸びた状態を示す図である。
【図１２】本発明の他の実施の形態に係る農作業機の部分平面図である。
【図１３】（ａ）は伸縮アーム体のＡ矢視図、（ｂ）はそれが伸びた状態を示す図である。
【図１４】制御手段による制御内容を示すフローチャートである。
【図１５】制御手段による制御で作業体が上方回動する様子を示す図である。
【図１６】本発明のさらに他の実施の形態に係る農作業機の部分平面図である。
【発明を実施するための形態】
【００１０】
本発明の一実施の形態について図１ないし図１１を参照して説明する。
【００１１】
図中の１は農作業機で、この農作業機１は、例えば走行車であるトラクタ２の後部に連結され、そのトラクタ２の走行により圃場等を前方（進行方向）に移動しながら農作業、例えば草刈作業を行う草刈機（オフセット作業機）である。
【００１２】
農作業機１は、トラクタ２の後部の３点リンク（図示せず）に連結される機体３と、この機体３に前後方向の第１回動中心軸線（回動支点）Ｌ１を中心として上下方向に回動可能に設けられた１本のオフセットフレーム４と、このオフセットフレーム４に第１回動中心軸線Ｌ１とは異なる前後方向の第２回動中心軸線（回動支点）Ｌ２を中心として上下方向に回動可能に設けられた作業体である草刈作業体（オフセット作業部）５とを備えている。
【００１３】
また、農作業機１は、機体３とオフセットフレーム４との間に架設され、オフセットフレーム４を機体３に対して第１回動中心軸線Ｌ１を中心として回動させかつ所望位置に位置決めする第１回動駆動手段６と、オフセットフレーム４と草刈作業体５との間に架設され、草刈作業体５をオフセットフレーム４に対して第２回動中心軸線Ｌ２を中心として回動させかつ所望位置に位置決めする第２回動駆動手段７とを備えている。なお、これら第１回動駆動手段６及び第２回動駆動手段７は、背面視で互いに重なるように位置している。
【００１４】
さらに、農作業機１は、トラクタ２からの動力を入力し、この入力した動力を草刈作業体５に向けて伝達する伝動手段８を備えており、草刈作業体５の回転作業手段10がその伝動手段８から動力を受けて回転して草刈作業を行う。
【００１５】
そして、機体３に対するオフセットフレーム４の上下回動及びオフセットフレーム４に対する草刈作業体５の上下回動に基づき、草刈作業体５は、格納状態及びオフセット状態になるとともに、水平姿勢及び傾斜姿勢（左低右高の傾斜姿勢及び左高右低の傾斜姿勢の両方を含む）になる。
【００１６】
つまり、草刈作業体５は、トラクタ２の後方位置に位置する非オフセット状態である格納状態（草刈作業体の全体（略全体を含む）がトラクタの後方領域に格納される状態）と、トラクタ２の後方位置から側方にずれた位置であるオフセット位置に位置するオフセット状態（草刈作業体の全体（略全体を含む）がトラクタに対して側方に突出する状態）とになる。換言すると、草刈作業体５の機体３に対する左右位置が調整可能となっている。
【００１７】
このため、草刈作業体５をオフセット状態にすることで、次に述べるように、トラクタ２の走行面に対して傾斜した傾斜面（作業対象面）に対する草刈作業も可能となる。
【００１８】
また、草刈作業体５は、作業部である回転作業手段10の回転中心軸線Ｌ３が進行方向（前後方向）に対して直交する水平方向（左右方向）に沿った水平姿勢と、回転中心軸線Ｌ３がその水平方向に対して傾斜した傾斜姿勢とになる。換言すると、草刈作業体５の水平方向に対する傾斜角度が調整可能となっている。
【００１９】
このため、トラクタ２の走行面に対して傾斜した傾斜面（作業対象面）に応じて草刈作業体５を傾斜姿勢にすることによって、当該傾斜面に対する草刈作業も可能である。すなわち、草刈作業体５は、水平姿勢及び傾斜姿勢のいずれの姿勢でも、草刈作業可能なものである。
【００２０】
なお、草刈作業体５の傾斜角度（水平方向に対する角度）θは、所定範囲内（例えば−４５°≦θ≦７０°）において、任意の値に調整可能となっている（図８（ｂ）を参照）。ただし、例えば傾斜角度θを７０°以上に調整可能な構成や、傾斜角度θを−４５°以下に調整可能な構成とすることも可能である。
【００２１】
機体３は、トラクタ２の後部の３点リンクに連結される前側フレーム11と、この前側フレームに左右方向の回動中心軸線（回動支点）Ｘを中心として上下方向に回動可能に取り付けられた後側フレーム12とを有している。
【００２２】
前側フレーム11は、トップピン14及びロワピン15等からなる３点連結部16を有し、この３点連結部16がトラクタ２の３点リンクに連結される。後側フレーム12は回動支持部17を有し、この回動支持部17によってオフセットフレーム４の一端側である基端側が回動可能に支持され、このオフセットフレーム４の他端側である先端側が草刈作業体５を回動可能に支持している。
【００２３】
オフセットフレーム（上下回動フレーム）４は、例えば１本のく字状の中空状の部材からなり、伝動手段８の少なくとも一部を収納する伝動ケースを兼ねたものである。オフセットフレーム４は、前方突出状の機体取付部21を基端部に有し、この機体取付部21が機体３の後側フレーム12の回動支持部17の内周側に第１回動中心軸線Ｌ１を中心として回動可能に取り付けられている。
【００２４】
オフセットフレーム４は、前方突出状の前回動支持部22及び後方突出状の後回動支持部23を先端部に有し、これら両回動支持部22，23によって草刈作業体５が第１回動中心軸線Ｌ１と平行な第２回動中心軸線Ｌ２を中心として回動可能に支持されている。
【００２５】
草刈作業体５は、オフセットフレーム４の先端側に第２回動中心軸線Ｌ２を中心として上下方向に回動可能に取り付けられた作業機体31と、この作業機体31に回転可能に設けられ、作業対象面（地面）に接地する接地輪であるゲージローラ32と、作業機体31に回転可能に設けられ、伝動手段８からの動力によって回転中心軸線Ｌ３を中心として回転しながら草刈作業（農作業）をする回転作業手段10とを有している。
【００２６】
作業機体31は、回転作業手段10を覆うカバー板34と、このカバー板34の側端部に固着された左右の側板35，36とを有している。左側の側板35の中央部には、ギアケース37及び取付枠38が固設され、これら２つの部材であるギアケース37及び取付枠38によってフレーム取付部40が構成されている。
【００２７】
つまり、この作業機体31は、側方突出状のフレーム取付部40を左側の側端部に有し、このフレーム取付部40がオフセットフレーム４の先端部の回動支持部22，23に第２回動中心軸線Ｌ２を中心として回動可能に取り付けられている。
【００２８】
回転作業手段10は、第２回動中心軸線Ｌ２と直交する回転中心軸線Ｌ３上に位置する回転軸41を有し、この回転軸41の軸芯と回転中心軸線Ｌ３とが一致している。そして、回転軸41の各爪取付部42には、刈爪（フレール爪）43が取付手段44を介して脱着可能に取り付けられている。なお、取付手段44は、例えばボルト45、ナット46及びシャックル47等によって構成されている。
【００２９】
第１回動駆動手段６は、伸縮動作する１本の駆動部材である第１シリンダ51のみによって構成されている。第１シリンダ51は、例えば電動油圧シリンダからなるもので、シリンダ本体部52と、このシリンダ本体部52内に対して出入りするロッド部53とを有している。
【００３０】
シリンダ本体部52の基端部は、機体３の後側フレーム12のシリンダ取付部55に前後方向の軸56を中心として回動可能に取り付けられている。ロッド部53の先端部は、オフセットフレーム４のシリンダ取付部57に前後方向の軸58を中心として回動可能に取り付けられている。
【００３１】
そして、第１シリンダ51の伸縮動作によって、オフセットフレーム４が機体３に対して第１回動中心軸線Ｌ１を中心として上下方向に回動する。
【００３２】
第２回動駆動手段７は、伸縮動作する１本の駆動部材である第２シリンダ61と、この第２シリンダ61の伸縮動作に応じてオフセットフレーム４に対して前後方向の軸63を中心として回動する略三角板状の回動部材（傾斜姿勢支持部材）62とによって構成されている。なお、これら互いに回動可能に連結された第２シリンダ61及び回動部材62は、く字状をなすオフセットフレーム４の後方に配設されている。
【００３３】
第２シリンダ61は、第１シリンダ51と同様、例えば電動油圧シリンダからなるもので、シリンダ本体部66と、このシリンダ本体部66内に対して出入りするロッド部67とを有している。
【００３４】
シリンダ本体部66の基端部は、オフセットフレーム４のシリンダ取付部68に前後方向の軸69を中心として回動可能に取り付けられている。ロッド部67の先端部は、連動部材である回動部材62の一端部に前後方向の軸70を中心として回動可能に連結されている。
【００３５】
回動部材62は、その長手方向中央部がオフセットフレーム４の回動部材取付部71に前後方向の軸63を中心として回動可能に取り付けられている。また、回動部材62の他端部には長孔状の係合孔部72が形成され、この係合孔部72内には、草刈作業体５の作業機体31の取付枠38の係合軸部73が係合孔部72に沿って摺動可能に挿通されている。このため、これら係合孔部72と係合軸部73との係合によって、草刈作業体５が所望姿勢に保持される。なお、取付枠38の係合軸部73の先端側には、円板状の抜止め部材74が取り付けられている。
【００３６】
そして、第２シリンダ61の伸縮動作に応じて回動部材62が連動して回動し、この回動部材62の回動によって、草刈作業体５がオフセットフレーム４に対して第２回動中心軸線Ｌ２を中心として上下方向に回動する。
【００３７】
ここで、図８から明らかなとおり、２つのアクチュエータであるシリンダ51，61は、草刈作業体５の格納状態時及びオフセット状態時のいずれにおいても、トラクタ２の後方に位置している。つまり、比較的重い２つのシリンダ51，61は、草刈作業体５の状態及び姿勢に拘わらず、常にトラクタ２の後方（真後ろ）に位置しており、トラクタ２に対するオフセット位置には移動しない。換言すると、両シリンダ51，61は、草刈作業体５の状態及び姿勢に関係なく、常にトラクタ２の後方において当該トラクタ２の幅内に位置している。なお、図８の如く、シリンダ51，61の全体がトラクタ２の幅内に位置する構成には限定されず、例えば図示しないが、シリンダ51，61の一部がトラクタ２の幅外に突出する構成でもよい。
【００３８】
特に、図８（ａ）に示すように、草刈作業体５の格納状態時には、第２シリンダ61は、少なくともシリンダ本体部66がトラクタ２の後方かつ草刈作業体５の上方に位置している。また、図８（ｂ）に示すように、草刈作業体５のオフセット状態時には、第２シリンダ61は、少なくともロッド部67がトラクタ２の後方かつ草刈作業体５の左側方に位置している。そして、この図８から明らかなように、第２シリンダ61は、トラクタ２の後方領域内において、背面視でこの第２シリンダ61と重なって位置するオフセットフレーム４と一体となって、前後方向の第１回動中心軸線Ｌ１を中心として回動するようになっている。
【００３９】
伝動手段８は、図２、図６等に示すように、トラクタ２のＰＴＯ軸からの動力を入力する入力軸80と、第１回動中心軸線Ｌ１上（オフセットフレーム４の機体３に対する回動支点上）に位置する前後方向の伝動軸である第１伝動軸81と、これら入力軸80と第１伝動軸81とを連結する屈曲可能なジョイント82とを有している。
【００４０】
入力軸80は、機体３の前側フレーム11の軸受部83によって回転可能に支持されている。第１伝動軸81は、オフセットフレーム４の機体取付部21内に配設され、複数の軸受84によって回転可能に支持されており、この第１伝動軸81の軸芯と第１回動中心軸線Ｌ１とが一致している。そして、この第１伝動軸81は、草刈作業体５の格納状態時には、その格納状態の草刈作業体５の上方に位置する。
【００４１】
ジョイント82は、例えば２つの十字軸82aを有したダブルジョイントからなるもので、後側フレーム12に取着された断面が下向きコ字状のジョイントカバー86によってその全体が覆い隠されている。なお、入力軸80は、トラクタ２のＰＴＯ軸に対して、図示しないジョイントを介して接続される。
【００４２】
また、伝動手段８は、第２回動中心軸線Ｌ２上（草刈作業体５のオフセットフレーム４に対する回動支点上）に位置する前後方向の伝動軸である第２伝動軸87と、この第２伝動軸87の前端部に固設された伝動軸側ギア（ベベルギア）88と、草刈作業体５の回転軸41の左端部に固設され、伝動軸側ギア88と係合する回転軸側ギア（ベベルギア）89とを有している。これら第２伝動軸87、伝動軸側ギア88及び回転軸側ギア89は、草刈作業体５のフレーム取付部40のギアケース37内に配設されている。
【００４３】
第２伝動軸87は、複数の軸受85によって回転可能に支持されており、この第２伝動軸87の軸芯と第２回動中心軸線Ｌ２とが一致している。草刈作業体５の回転軸41は、その左端部の挿入部41aがギアケース37内に挿入されて複数の軸受90によって回転可能に支持されており、この回転軸41の軸芯と回転中心軸線Ｌ３とが一致している。そして、第２伝動軸87及び回転軸41は、各軸芯が互いに直交する状態で、同一平面上に位置している。
【００４４】
さらに、伝動手段８は、オフセットフレーム４の基端部内の第１伝動軸81に固設された第１スプロケット91と、オフセットフレーム４の先端部内の第２伝動軸87に固設された第２スプロケット92と、これら両スプロケット91，92に掛け渡された無端状の伝動部材であるチェーン93とを有している。
【００４５】
また、図７に示すように、チェーン93は、ガイドスプロケット94及びテンションスプロケット95にも掛け渡され、かつ、チェーン93に所望の張力を付与するための付勢手段である板バネ96によって付勢されている。
【００４６】
そして、オフセットフレーム４は、伝動手段８を収納する伝動ケースの機能を兼ね備えており、このオフセットフレーム４内に、伝動軸81，87、スプロケット91，92，94，95及び板バネ96が収納されている。なお、第１伝動軸81の前端側はオフセットフレーム４内から突出しており、この突出部分にジョイント82が連結されている。同様に、第２伝動軸87の前端側もオフセットフレーム４内から突出しており、この突出部分に伝動軸側ギア88が固着されている。
【００４７】
また、図９ないし図１１に示すように、ダブルフレーム構造の機体３における後側フレーム12は、損傷防止を図るために、草刈作業体５に対する過負荷を逃がす過負荷逃がし手段である伸縮アーム体101を有している。
【００４８】
つまり、機体３の後側フレーム12は、通常時には一定長さに保持されかつ草刈作業体５に対する過負荷時にはその過負荷を逃がす伸縮可能な伸縮アーム体101を右側に有し、かつ、前側フレーム11に対して上下方向の回動中心軸線Ｙを中心として前後方向に回動可能な非伸縮アーム体102を左側に有しており、これら左右の両アーム体101，102は、平面視で逆ハ字状に配置されている。
【００４９】
そして、左右の両アーム体101，102の後端部同士が、オフセットフレーム４を回動支持部17で上下方向に支持した連結支持体103によって、互いに連結されている。
【００５０】
伸縮アーム体101は、第１筒状部材106と、この第１筒状部材106の外周側にスライド可能に嵌合された第２筒状部材107とを有している。
【００５１】
第１筒状部材106は、四角筒状の筒状部108を有し、この筒状部108の前端側の側面には取付部109が設けられ、この取付部109の軸部分109aが前側フレーム11の右取付板111の軸支持部112に左右方向の回動中心軸線Ｘを中心として回動可能に取り付けられている。
【００５２】
第２筒状部材107は、四角筒状の筒状部113を有し、この筒状部113の後端部には取付部114が設けられ、この取付部114が連結支持体103の右端部に上下方向の軸であるボルト115を介して回動可能に取り付けられている。つまり、伸縮アーム体101の後端部が、連結支持体103の右端部に、上下方向のボルト（回動支点）115を中心として回動可能に取り付けられている。
【００５３】
なお、第２筒状部材107の筒状部113には、筒状部108の外周面と筒状部113の内周面との間の隙間にグリースを注入するためのグリースニップル116が取り付けられている。
【００５４】
また、伸縮アーム体101は、第１筒状部材106の筒状部108内に挿入されたロッド部材であるネジロッド117を有し、このネジロッド117の一端部にはナット118及び座金119が装着されている。このネジロッド117の他端部には抜止め用の突片120が固着され、この突片120は第２筒状部材107の筒状部113の端板部分113aに当接している。
【００５５】
そして、ネジロッド117の外周側には、通常時において伸縮アーム体101を一定長さに保持するための弾性部材であるコイルバネ121が第１筒状部材106の筒状部108内において配設されている。このコイルバネ121は、一端部が座金119に当接し、他端部が第１筒状部材106の筒状部108の端板部分108aに当接している。
【００５６】
さらに、伸縮アーム体101は、この伸縮アーム体101の伸縮量（第２筒状部材107の第１筒状部材106に対する移動量）を示す目印122を有している。この目印122は、トラクタ２に乗った作業者が目視可能なものであって、例えば目盛りの付いたステッカーからなり、第１筒状部材106の筒状部108の上面における所定位置に貼り付けられている（図９参照）。
【００５７】
非伸縮アーム体102は、四角筒状の筒状部125を有し、この筒状部125の後端部が連結支持体103の所定部位に固着されている。この筒状部125の前端部には取付板部126が設けられ、この取付板部126の側面から軸状部127が内側方（伸縮アーム体101側）に向かって突出している。
【００５８】
そして、この軸状部127は、前側フレーム11の左取付板128の軸支持部129に球面軸受130を介して回動可能に取り付けられている。それゆえ、非伸縮アーム体102は、前側フレーム11の左取付板128に対して、少なくとも左右方向の回動中心軸線Ｘ及びこれと直交する上下方向の回動中心軸線Ｙを中心として回動可能となっている。
【００５９】
なお、例えば球面軸受130を用いずに、非伸縮アーム体102が前側フレーム11に対して左右及び上下に回動可能な構成としてもよい。
【００６０】
次に、農作業機１の作用等を説明する。
【００６１】
まず、作業者は、図８（ｂ）の如く、トラクタ（例えば小型トラクタ）２の３点リンク（農作業機昇降支持装置）に連結した農作業機１の草刈作業体５をその左右位置を調整して所望のオフセット状態（草刈作業体５がトラクタ２のタイヤ2aよりも外側方に位置した状態）に設定する。
【００６２】
また、作業者は、草の生えた作業対象面に応じて、オフセット状態の草刈作業体５の姿勢を所望姿勢に設定する。すなわち例えば第２回動駆動手段７の第２シリンダ61の作動によって、草刈作業体５を第２回動中心軸線Ｌ２を中心として回動させることで、オフセット状態の草刈作業体５の傾斜角度θを調整する。
【００６３】
このような調整後、トラクタ２の走行によって農作業機１を前方に移動させると、草刈作業体５の回転作業手段10が、伝動手段８からの動力によって所定方向へ回転しながら草刈作業をする。
【００６４】
ここで、このような草刈作業時において、例えば草の中に見えない障害物が存在したために、草刈作業体５の回転作業手段10が障害物に衝突して、当該草刈作業体５に前方側から過負荷がかかった場合には、図１１に示すように、機体３の後側フレーム12の伸縮アーム体101が伸びて、その過負荷を逃がす。
【００６５】
すなわち、草刈作業体５に対して前方側から過負荷が作用した際には、草刈作業体５を支持したオフセットフレーム４が、非伸縮アーム体102及び連結支持体103と一体となって、前側フレーム11に対して上下方向の回動中心軸線Ｙを中心として後方へ回動する。
【００６６】
すると、当該回動に応じて、伸縮アーム体101の第２筒状部材107が、コイルバネ121の弾性復元力（付勢力）に抗してこのコイルバネ121を縮めながら、第１筒状部材106に対してその外周面に沿ってスライドし、その結果、伸縮アーム体101が伸びて、草刈作業体５に対する過負荷を逃がす。
【００６７】
この際、トラクタ２に乗った作業者は、伸縮アーム体101の目印122を目視することで、伸縮アーム体101がどれだけ伸びているかを確認することが可能である。
【００６８】
なお、障害物が草刈作業体５の回転作業手段10から離れて過負荷が解除されると、伸縮アーム体101は、コイルバネ121の弾性復元力によって縮んで、元の状態（通常時の一定長さ）に復帰する。
【００６９】
また、草刈作業体５による草刈作業が終了して、農作業機１をトラクタ２で所望位置まで運搬する場合には、第１回動駆動手段６の第１シリンダ51の作動でオフセットフレーム４を第１回動中心軸線Ｌ１を中心として回動させるとともに、第２回動駆動手段７の第２シリンダ61の作動で草刈作業体５を第２回動中心軸線Ｌ２を中心として回動させることによって、草刈作業体５をもとの格納状態に戻す。
【００７０】
なお、図８（ａ）の如く、水平姿勢の草刈作業体５を格納状態に設定した場合であっても、この格納状態の草刈作業体５で草刈作業をすることは可能である。
【００７１】
そして、農作業機１によれば、ダブルフレーム構造の機体３の後側フレーム12は、草刈作業体５に対する過負荷（過負荷の少なくとも一部）を逃がす過負荷逃がし手段である伸縮アーム体101を有するため、草刈作業体５、オフセットフレーム４或いは機枠３等に過大な外力が作用するのを防止でき、損傷防止を図ることができる。
【００７２】
また、トラクタ２に乗った作業者は、伸縮アーム体101の目印122を目視することにより、伸縮アーム体101の伸縮量を確認でき、よって、草刈作業体５に対する過負荷の程度を容易に把握できる。
【００７３】
さらに、第２回動駆動手段７は、草刈作業体５の格納状態時及びオフセット状態時のいずれにおいても、トラクタ２の後方に位置する第２シリンダ61を有するため、草刈作業体５のオフセット状態時でも第２シリンダ61及び回動部材62がトラクタ２の後方位置に残ることにより、左右の重量バランスが良好であり、よって、重量バランスの向上を図ることができる。
【００７４】
また、第２回動駆動手段７の第２シリンダ61は、草刈作業体５の格納状態時にはトラクタ２の後方かつ草刈作業体５の上方に位置し、かつ、草刈作業体５のオフセット状態時にはトラクタ２の後方かつ草刈作業体５の側方に位置するため、重量バランスの向上を効果的に図ることができる。
【００７５】
さらに、オフセットフレーム４が機体３に第１回動中心軸線Ｌ１を中心として上下方向に回動可能に設けられ、かつ、草刈作業体５がオフセットフレーム４に第２回動中心軸線Ｌ２を中心として上下方向に回動可能に設けられた構成であるから、前後方向長さが短く、前後の重量バランスが良好であり、よって、重量バランスの向上をより一層効果的に図ることができる。
【００７６】
また、トラクタ２側からの動力を伝達する伝動手段８は、第１回動中心軸線Ｌ１上に位置する第１伝動軸81及び第２回動中心軸線Ｌ２上に位置する第２伝動軸87を有するため、構成の簡素化を図ることができるとともに、軽量化及びコンパクト化も図ることができ、小型トラクタでも安定的に使用できる。特に、草刈作業体５は、従来の刈取り作業部に比べて部品点数が少なく、構成が簡単であり、比較的軽量である。
【００７７】
なお、農作業機１は、上述した構成には限定されず、例えば図１２及び図１３に示すように、草刈作業体５に対する過負荷時において伸縮アーム体101が所定状態（例えば所定量だけ伸びた状態）になったことを検知する検知手段であるリミットスイッチ131と、その伸縮アーム体101の状態をトラクタ２に乗った作業者に報知する報知手段132と、リミットスイッチ131の検知（スイッチオン）に基づいて報知手段132を作動させる制御手段133とを備えた構成でもよい。なお、この制御手段133には、リミットスイッチ131及び報知手段132のほか、第１シリンダ51及び第２シリンダ61が電気的に接続されている。
【００７８】
リミットスイッチ131は、スイッチ本体部134と、このスイッチ本体部134に水平方向に回動可能に設けられたスイッチアーム部135とを有している。スイッチ本体部134は、第２筒状部材107の筒状部113に突設された取付板部136に取り付けられている。第１筒状部材106の筒状部108の下面には、スイッチアーム部135に対して接離するピン137が突設されている。
【００７９】
報知手段132は、例えば音を発することで伸縮アーム体101が所定状態になったことをトラクタ２に乗った作業者に報知するブザーや、例えば光を発することで伸縮アーム体101が所定状態になったことをトラクタ２に乗った作業者に報知するランプである。この報知手段132は、トラクタ２の運転席付近に設けられている。なお、報知手段132は、ブザーやランプのほか、例えば伸縮アーム体101の状態を表示して作業者に知らせるモニター等でもよい。
【００８０】
そして、図１３（ａ）に示すように、通常時には、伸縮アーム体101は、コイルバネ121によって一定長さに保持されており、ピン137はスイッチアーム部135から離れていて、リミットスイッチ131はオフ状態となっている。
【００８１】
図１３（ｂ）に示すように、草刈作業体５に過負荷がかかった場合には、第２筒状部材107がコイルバネ121の弾性復元力に抗して第１筒状部材106に沿ってスライドすることで、伸縮アーム体101が伸び、その結果、スイッチアーム部135がピン137に押されて回動して、リミットスイッチ131がオン状態となる。
【００８２】
ここで、制御手段133による制御内容について、図１４及び図１５を参照して具体的に説明する。
【００８３】
図１４に示すように、まず、制御手段133は、リミットスイッチ131のオンオフに基づいて、草刈作業体５に過負荷が作用しているか否か（例えば石等の障害物Ｓが草刈作業体５に当接しているか否か）を判断する（ステップ１）。
【００８４】
そして、過負荷が作用していると判断した場合には、制御手段133は、報知手段132を作動させ（ステップ２）、かつ、第２シリンダ61を作動、すなわち伸び動作させる（ステップ３）。
【００８５】
すると、その第２シリンダ61の伸び動作に応じて、草刈作業体５は、オフセットフレーム４に対して第２回動中心軸線Ｌ２を中心として上方へ回動する（図１５を参照）。なお、報知手段132の作動に基づき、トラクタ２に乗った作業者は、草刈作業体５に過負荷が作用していることを知り、トラクタ２の走行を停止させる。
【００８６】
次いで、制御手段133は、同様に草刈作業体５に過負荷が作用しているか否かを判断し（ステップ４）、過負荷が作用していないと判断すると、報知手段132を停止させ（ステップ５）、かつ、第２シリンダ61を停止させる（ステップ６）。
【００８７】
そして、作業者は、トラクタ２から降りて障害物Ｓを取り除いた後（或いは、トラクタ２を前進走行させて、障害物Ｓのない場所まで移動した後）、草刈作業体５を元の作業状態に戻してから、草刈作業を再開する。
【００８８】
したがって、このような農作業機１によれば、損傷防止をより一層効果的に図ることができる。
【００８９】
なお、伸縮アーム体（過負荷逃がし手段）101の伸縮状態を検知する検知手段は、リミットスイッチ131には限定されず、例えば検知光を利用する光センサや、非伸縮アーム体102の回動角度を検知する角度センサ等でもよい。
【００９０】
また、制御手段133が第２シリンダ61のみを作動させて草刈作業体５を上方回動させる構成には限定されず、草刈作業体５を上方回動させるために、制御手段133が第１シリンダ51及び第２シリンダ61の両方、或いは第１シリンダ51のみを作動させる構成としてもよい。
【００９１】
なお、上記いずれの実施の形態においても、伸縮アーム体（過負荷逃がし手段）101は、草刈作業体５に対する前方側からの過負荷時にのみ、伸びて過負荷（前過負荷）を逃がすものには限定されず、例えば図１６に示すように、草刈作業体５に対する前方側からの過負荷時には伸びて過負荷（前過負荷）を逃がし、かつ、草刈作業体５に対する後方側からの過負荷時には縮んで過負荷（後過負荷）を逃がすものでもよい。
【００９２】
この図１６に示す伸縮アーム体101は、図１０に示すものとは異なり、通常時において伸縮アーム体101を一定長さに保持するための弾性部材として、２つのコイルバネ、すなわち第１コイルバネ141及び第２コイルバネ142を有している。
【００９３】
第１コイルバネ141は、一端部が座金119に当接し、他端部が第１筒状部材106の筒状部108の中間板部分108bに当接している。第２コイルバネ142は、一端部が第１筒状部材106の筒状部108の中間板部分108bに当接し、他端部が第２筒状部材107の筒状部113の端板部分113aに当接している。
【００９４】
そして、伸縮アーム体101が伸びた場合には第１コイルバネ141が縮み、伸縮アーム体101が縮んだ場合には第２コイルバネ142が縮むが、いずれの場合も過負荷が解除されると、伸縮アーム体101は、コイルバネ141，142の弾性復元力によって縮んで、元の状態（通常時の一定長さ）に復帰する。
【００９５】
したがって、このような図１６に示す構成とすることで、草刈作業体５に対する後方側からの過負荷にも対応でき、損傷防止をより一層効果的に図ることができる。
【００９６】
さらに、上記いずれの実施の形態でも、農作業機１は、草刈機には限定されず、例えば畦塗り機、溝掘機、耕耘機、収穫機等でもよい。
【００９７】
また、農作業機１は、作業部が走行車に対して右側方へ突出する右オフセット状態になる構成には限定されず、例えば作業部が走行車に対して左側方へ突出する左オフセット状態になる構成等でもよい。
【００９８】
さらに、回動駆動手段の駆動部材（駆動源）は、電動油圧シリンダには限定されず、例えば油圧シリンダ、電動シリンダ、油圧モータ或いは電動モータ等でもよく、また、回動駆動手段は、駆動部材のみからなるものでもよく、その駆動部材に連動部材を連結したもの等でもよい。
【００９９】
また、伝動ケースを兼ねたオフセットフレーム４内に収納される伝動部材は、チェーンやベルト等の無端状部材には限定されず、伝動シャフト等でもよい。
【符号の説明】
【０１００】
１    農作業機
２    走行車であるトラクタ
３    機体
４    オフセットフレーム
５    作業体である草刈作業体
６    第１回動駆動手段
７    第２回動駆動手段
11    前側フレーム
12    後側フレーム
101   過負荷逃がし手段である伸縮アーム体
102   非伸縮アーム体
103   連結支持体
115   軸であるボルト
121   弾性部材であるコイルバネ
122   目印
131   検知手段であるリミットスイッチ
132   報知手段
133   制御手段
141   弾性部材である第１コイルバネ
142   弾性部材である第２コイルバネ
【図１】
2019013194.tif 000003
【図２】
2019013194.tif 000004
【図３】
2019013194.tif 000005
【図４】
2019013194.tif 000006
【図５】
2019013194.tif 000007
【図６】
2019013194.tif 000008
【図７】
2019013194.tif 000009
【図８】
2019013194.tif 000010
【図９】
2019013194.tif 000011
【図１０】
2019013194.tif 000012
【図１１】
2019013194.tif 000013
【図１２】
2019013194.tif 000014
【図１３】
2019013194.tif 000015
【図１４】
2019013194.tif 000016
【図１５】
2019013194.tif 000017
【図１６】
2019013194.tif 000018